(57)【要約】【課題】アイロンをどの方向に移動させても、衣類に十分にスチームをあてて、しわ伸ばしを効率よく仕上げることができるスチームアイロンを提供する。【解決手段】ヒータ２によって加熱されるベース３と、ベース３に形成されスチームを生成する気化室４と、気化室４に供給する水を蓄える水タンク７と、ベース３の下面に設けられた掛け面６とを備え、掛け面６に、気化室４と連通しスチームを噴出させる複数のスチーム穴５を環状に連なるように配列したもので、しわ伸ばしのためアイロン掛けを行うときに、環状に配されたスチーム穴５の外側から内側へ衣類のしわ部分が移動するときにスチームがあたり、次に、環状に配されたスチーム穴５の内側から外側へ衣類のしわ部分が移動するときにもスチームがあたるので、アイロンをどの方向に移動させてアイロン掛けを行っても、衣類に十分にスチームをあてて、しわ伸ばしを効率よく仕上げられる。【選択図】図１
2009061070.tif 000002
【特許請求の範囲】
【請求項１】
ヒータによって加熱されるベースと、前記ベースに形成されスチームを生成する気化室と、前記気化室に供給する水を蓄える水タンクと、前記ベースの下面に設けられた掛け面とを備え、前記掛け面に、前記気化室と連通し前記スチームを噴出させる複数のスチーム穴を環状に連なるように配列したスチームアイロン。
【請求項２】
掛け面の、環状に配列したスチーム穴より後方に、スチーム穴を有さない部分を備えた請求項１に記載のスチームアイロン。
【請求項３】
掛け面を、ベースとは別部材で形成した請求項１または２に記載のスチームアイロン。
【請求項４】
ベースの下面に、複数のスチーム穴と気化室とを連通するスチーム通路を設け、前記スチーム通路を環状に形成した請求項３に記載のスチームアイロン。
【発明の詳細な説明】
【技術分野】
【０００１】
本発明は、衣類等のしわ伸ばしに用いられるスチームアイロンに関するものである。
【背景技術】
【０００２】
従来のこの種のスチームアイロンは、図４に示すように、掛け面６に、複数のスチーム穴５を略Ｕ字状列に配置したものが一般的であった（例えば、特許文献１参照）。
【特許文献１】実公昭４８−２８０７３号公報
【発明の開示】
【発明が解決しようとする課題】
【０００３】
アイロン掛けによるしわ伸ばしのメカニズムを説明すると、掛け面６のスチーム穴５から噴出された蒸気によって、衣類の繊維は、熱と水分で膨潤し、繊維の変形部すなわち衣類しわが軟化し、その後直ちに通過する掛け面６の熱と面圧力で平面に成形乾燥されて、衣類のしわが伸ばされる。しかしながら、上記従来のスチームアイロンの構成では、衣類にスチームがあたる部分が不十分なアイロン掛けの方向があり、同じ部分をアイロン掛けしなければならず、衣類のしわ伸ばしを効率良く仕上げられないという課題があった。
【０００４】
本発明は、前記従来の課題を解決するもので、スチームアイロンをあらゆる方向に移動させてアイロン掛けを行っても、衣類に十分にスチームがあたり、しわ伸ばしを効率よく仕上げられるスチームアイロンを提供することを目的とする。
【課題を解決するための手段】
【０００５】
前記従来の課題を解決するために、本発明のスチームアイロンは、ヒータによって加熱されるベースと、前記ベースに形成されスチームを生成する気化室と、前記気化室に供給する水を蓄える水タンクと、前記ベースの下面に設けられた掛け面とを備え、前記掛け面に、前記気化室と連通し前記スチームを噴出させる複数のスチーム穴を環状に連なるように配列したもので、しわ伸ばしのためアイロン掛けを行うときに、環状に配されたスチーム穴の外側から内側へ衣類のしわ部分が移動するときにスチームがあたり、次に、同じく環状に配されたスチーム穴の内側から外側へ衣類のしわ部分が移動するときにもスチームがあたるので、アイロンをどの方向に移動させてアイロン掛けを行っても、衣類に十分にスチームをあてることができ、しわ伸ばしを効率よく仕上げられるスチームアイロンを提供することができる。
【発明の効果】
【０００６】
本発明のスチームアイロンは、アイロンをどの方向に移動させてアイロン掛けを行っても、衣類に十分にスチームがあたり、しわ伸ばしを効率よく仕上げることができる。
【発明を実施するための最良の形態】
【０００７】
第１の発明は、ヒータによって加熱されるベースと、前記ベースに形成されスチームを生成する気化室と、前記気化室に供給する水を蓄える水タンクと、前記ベースの下面に設けられた掛け面とを備え、前記掛け面に、前記気化室と連通し前記スチームを噴出させる複数のスチーム穴を環状に連なるように配列したもので、しわ伸ばしのためアイロン掛けを行うときに、環状に配されたスチーム穴の外側から内側へ衣類のしわ部分が移動するときにスチームがあたり、次に、同じく環状に配されたスチーム穴の内側から外側へ衣類のしわ部分が移動するときにもスチームがあたるので、アイロンをどの方向に移動させてアイロン掛けを行っても、衣類に十分にスチームをあてることができ、しわ伸ばしを効率よく仕上げられるスチームアイロンを提供することができる。
【０００８】
第２の発明は、特に、第１の発明の掛け面の、環状に配列したスチーム穴より後方に、スチーム穴を有さない部分を備えたもので、アイロンを前方に進めてアイロン掛けする基本動作において、最後に平面乾燥を確実にすることができる。
【０００９】
第３の発明は、特に、第１または第２の発明の掛け面を、ベースとは別部材で形成したもので、ベースと掛け面の接続構成を簡単な構成とすることができるので、安価で品質の安定したなスチームアイロンを提供することができる。
【００１０】
第４の発明は、特に、第３の発明のベースの下面に、複数のスチーム穴と気化室とを連通するスチーム通路を設け、前記スチーム通路を環状に形成したもので、ある箇所においてスチーム通路が水垢等により閉塞した場合でも、すべてのスチーム穴へスチームを供給することができるので、安定したスチームを提供することができ、使い勝手のよいスチームアイロンを提供することができる。
【００１１】
以下、本発明の実施の形態について、図面を参照しながら説明する。なお、本実施の形態によって本発明が限定されるものではない。
【００１２】
（実施の形態１）
図１は、本発明の第１の実施の形態におけるスチームアイロンの側面図、図２は、同スチームアイロンの下面図、図３は、同スチームアイロンの掛け面を取り外した状態の下面図である。
【００１３】
図１〜図３において、本実施の形態におけるスチームアイロンのアイロン本体１は、ヒータ２により加熱されるベース３と、ベース３の上面にスチームを発生させる気化室４と、ベース３の下面に取り付けられた掛け面６とを備え、掛け面６には、気化室４と連通して気化室４から発生したスチームを噴出させると共に、ほぼ一定間隔で、しかも一周する環状に連なるように複数のスチーム穴５が配列されている。
【００１４】
７は、気化室４に供給する水を貯える水タンク、８は、外部操作によって水タンク７の水を気化室４に供給、停止を行うスチームダイヤルである。
【００１５】
また、ベース３の下面に、スチーム穴５と気化室４とを連通するスチーム通路９を環状に形成し、スチーム通路９の真下にスチーム穴５を配設している。
【００１６】
また、掛け面６は、環状に配設したスチーム穴５の内側でスチーム穴５を有さない掛け面６ａと、環状に配列したスチーム穴５より後方でスチーム穴５を有さない掛け面６ｂを備えている。
【００１７】
なお、その他の構成は、従来よく知られたスチームアイロンと同様であるので、詳しい説明は省略する。
【００１８】
以上のように構成された本実施の形態におけるスチームアイロンの作用、動作について、以下に説明する。
【００１９】
なお、スチームアイロンとしての基本的な動作は、従来よく知られたものと同様であるので、詳しい説明は省略する。
【００２０】
まず、スチームダイヤル８を操作して水タンク７内の水を気化室４に供給すると、気化室４で蒸気が発生し、スチーム通路９を経て各スチーム穴５から外部に噴出され、スチームを活用したアイロン掛けを行うことができる。
【００２１】
このとき、スチーム穴５は、ほぼ一定間隔で一周する環状に連なるように配置されているので、アイロン本体１をどの方向に移動させてアイロン掛けを行っても、環状に配されたスチーム穴５の外側から内側へ衣類（図示せず）のしわ部分が移動するときに、スチームがあたり、次に、環状に配されたスチーム穴５の内側から外側へ衣類のしわ部分が移動するときにもスチームがあたるので、衣類に十分にスチームをあてることができ、しわ伸ばしを効率よく仕上げられるスチームアイロンを提供することができる。
【００２２】
また、掛け面６は、図２に示すように、環状に配列したスチーム穴５の内側でスチーム穴５を有さない掛け面６ａと、環状に配列したスチーム穴５より後方でスチーム穴５を有さない掛け面６ｂとを備えているので、アイロン本体１を前に滑らすアイロン掛け作業の基本動作に対して、まず掛け面６ａの前方にあるスチーム穴５から噴出されたスチームによって、衣類が膨潤した後、掛け面６ａによって成形乾燥を行い、さらに掛け面６ａの後方のスチーム穴５からもスチームが噴出し、掛け面６ｂによって成形乾燥を行うことができるので、布地の乾燥やしわ伸ばしをより確実に行うことができる。
【００２３】
さらに、掛け面６を、ベース３とは別部材で形成したので、掛け面６とベース３の接続構成を簡単な構成とすることができ、安価で、品質の安定したスチームアイロンを提供することができる。
【００２４】
また、スチーム通路９のある箇所において、水垢等により閉塞した場合でも、環状にスチーム通路９が形成されているので、すべてのスチーム穴５へスチームを確実に供給することができ、それによって安定したスチームを提供することができ、使い勝手のよいスチームアイロンを提供することができる。
【００２５】
なお、本実施の形態では、掛け面６とベース３を別部材としたが、掛け面６とベース３を一体で構成しても良い。
【産業上の利用可能性】
【００２６】
以上のように、本発明にかかるスチームアイロンは、アイロンをどの方向に移動させてアイロン掛けを行っても、衣類に十分にスチームが当たり、しわ伸ばしを効率よく仕上げることができるもので、家庭用、業務用のスチームアイロンに広く適用できる。
【図面の簡単な説明】
【００２７】
【図１】本発明の実施の形態１におけるスチームアイロンの側面図
【図２】同スチームアイロンの下面図
【図３】同スチームアイロンの掛け面を取り外した状態の下面図
【図４】従来のスチームアイロンの掛け面を示した平面図
【符号の説明】
【００２８】
１  アイロン本体
２  ヒータ
３  ベース
４  気化室
５  スチーム穴
６  掛け面
７  水タンク
８  スチームダイヤル
９  スチーム通路
【図１】
2009061070.tif 000003
【図２】
2009061070.tif 000004
【図３】
2009061070.tif 000005
【図４】
2009061070.tif 000006